(57)【特許請求の範囲】
【請求項１】
測定対象物からの光を受光する受光部と、
該受光部で取得した光量に基づいて測色値を算出する演算制御部と、
取得した光量に応じる前記受光部からの信号に基づいて第１所定時間での基準測色値データを生成する第１処理部と、
取得した光量に応じる前記受光部からの信号に基づいて第２所定時間での波形データを生成する第２処理部と、を備え、
前記測定対象物を、右目用の画像と左目用の画像とを所定の時間間隔で交互に出力して立体の画像を認識させる立体視画像システムとし、
前記受光部は、前記立体視画像システムからの一方の目に対応する画像としての光を受光し、
前記演算制御部は、前記第２処理部からの前記波形データにおける大きな極大値に対する小さな極大値の比率を算出し、前記第１処理部からの前記基準測色値データに基づく基準測色値に、算出した前記小さな極大値の比率を乗算することで前記測色値を算出することを特徴とする測光装置。
【請求項２】
前記受光部は、受光した光量に応じる大きさのアナログ信号を出力し、
前記第２処理部は、前記受光部からのアナログ信号における波形情報を保存する処理速度の第２アナログ−デジタル変換部を有し、
前記第１処理部は、前記第２アナログ−デジタル変換部に比較して、前記受光部からのアナログ信号の大きさに対する分解能が大きい第１アナログ−デジタル変換部を有することを特徴とする請求項１に記載の測光装置。
【請求項３】
前記第２アナログ−デジタル変換部は、前記演算制御部に内蔵されていることを特徴とする請求項２に記載の測光装置。
【請求項４】
前記第１アナログ−デジタル変換部は、前記演算制御部とは別に設けられていることを特徴とする請求項２または請求項３に記載の測光装置。
【請求項５】
前記第２所定時間は、少なくとも２つの前記大きな極大値と少なくとも２つの前記小さな極大値とを含む前記波形データを生成することを可能とすべく、前記立体視画像システムにおける出力特性に応じて設定されていることを特徴とする請求項１から請求項４のいずれか１項に記載の測光装置。
【請求項６】
前記演算制御部は、前記第２所定時間の開始時点から前記第２所定時間の終了時点に至る間を示す測定範囲信号を生成することを特徴とする請求項１から請求項５のいずれか１項に記載の測光装置。
【請求項７】
測定対象物からの光を受光する受光部と、該受光部で取得した光量に基づいて測色値を算出する演算制御部と、取得した光量に応じる前記受光部からの信号に基づいて第１所定時間での基準測色値データを生成する第１処理部と、取得した光量に応じる前記受光部からの信号に基づいて第２所定時間での波形データを生成する第２処理部と、を備える測光装置の前記演算制御部に、
前記測定対象物を、右目用の画像と左目用の画像とを所定の時間間隔で交互に出力して立体の画像を認識させる立体視画像システムとし、
前記受光部は、前記立体視画像システムからの一方の目に対応する画像としての光を受光するものとして、
前記第２処理部からの前記波形データにおける大きな極大値に対する小さな極大値の比率を算出する機能と、
前記第１処理部からの前記基準測色値データに基づく基準測色値に、算出した前記小さな極大値の比率を乗算することで前記測色値を算出する機能と、
を実現させることを特徴とするプログラム。
【発明の詳細な説明】
【技術分野】
【０００１】
本発明は、測定対象物からの光を測定するための測光装置に関し、特に短い時間において変化する輝度を精度良く測定することのできる測光装置に関する。
【背景技術】
【０００２】
従来、ディスプレイの画像の品質を把握するために、測光装置を用いてディスプレイを測定することが考えられている（特許文献１参照）。この測光装置は、色彩計としての機能を有し、ディスプレイ（その画像）の色彩を測定して当該ディスプレイにおける表示特性を把握することにより、ディスプレイの品質を把握することを可能とする。
【０００３】
ところで、近年、ディスプレイとして画像を立体に表示することのできるもの（以下では、立体視用ディスプレイという）が登場している。このものでは、視聴者の右目に右目用の画像を取得させることと、左目に左目用の画像を取得させることと、を極めて短時間で交互に繰り返すことにより、視聴者に立体の画像として認識させるものがある。このような立体視用ディスプレイでは、視聴者の一方の目に他方の目用の画像を取得させてしまういわゆるクロストークが生じることがある。このクロストークは、視聴者にとって不要な光（画像のための表示信号）となることから、立体視用ディスプレイにおける画像の品質の劣化を招いてしまう。このため、立体視用ディスプレイでは、品質の向上のためにクロストークの強度すなわちクロストーク値を低減することが望まれる。これに伴い、生じたクロストーク値を正確に測定することのできる測光装置が求められている。
【先行技術文献】
【特許文献】
【０００４】
【特許文献１】特開２００９−３００２５７号公報
【発明の概要】
【発明が解決しようとする課題】
【０００５】
ここで、上記した色彩計としての機能を有する測光装置では、光の強度の時間的変化を短い時間間隔で測定することが困難であることから、極めて短時間で左右の画像の表示が繰り返される中で発生するクロストーク値を測定することが困難である。このため、短い時間間隔での光の強度の時間的変化を測定することのできる応答度検出器としての機能を有する測光装置を用いてクロストーク値を測定することが考えられる。
【０００６】
ところが、このような測光装置（応答度検出器）では、取得した光量に応じて出力する信号の分解能が十分ではないことから、輝度計として要求される精度を満たすことが困難であるので、クロストーク値を正確に測定するものとして使用するには改善の余地があった。
【０００７】
本発明は、上記の事情に鑑みて為されたもので、その目的は、クロストーク値を正確に測定することのできる測光装置を提供することにある。
【課題を解決するための手段】
【０００８】
請求項１に記載の発明の測光装置は、測定対象物からの光を受光する受光部と、該受光部で取得した光量に基づいて測色値を算出する演算制御部と、取得した光量に応じる前記受光部からの信号に基づいて第１所定時間での基準測色値データを生成する第１処理部と、取得した光量に応じる前記受光部からの信号に基づいて第２所定時間での波形データを生成する第２処理部と、を備え、前記測定対象物を、右目用の画像と左目用の画像とを所定の時間間隔で交互に出力して立体の画像を認識させる立体視画像システムとし、前記受光部は、前記立体視画像システムからの一方の目に対応する画像としての光を受光し、前記演算制御部は、前記第２処理部からの前記波形データにおける大きな極大値に対する小さな極大値の比率を算出し、前記第１処理部からの前記基準測色値データに基づく基準測色値に、算出した前記小さな極大値の比率を乗算することで前記測色値を算出することを特徴とする。 
【０００９】
請求項２に記載の発明は、請求項１に記載の測光装置であって、前記受光部は、受光した光量に応じる大きさのアナログ信号を出力し、前記第２処理部は、前記受光部からのアナログ信号における波形情報を保存する処理速度の第２アナログ−デジタル変換部を有し、前記第１処理部は、前記第２アナログ−デジタル変換部に比較して、前記受光部からのアナログ信号の大きさに対する分解能が大きい第１アナログ−デジタル変換部を有することを特徴とする。
【００１０】
請求項３に記載の発明は、請求項２に記載の測光装置であって、前記第２アナログ−デジタル変換部は、前記演算制御部に内蔵されていることを特徴とする。
【００１１】
請求項４に記載の発明は、請求項２または請求項３に記載の測光装置であって、前記第１アナログ−デジタル変換部は、前記演算制御部とは別に設けられていることを特徴とする。
【００１２】
請求項５に記載の発明は、請求項１から請求項４のいずれか１項に記載の測光装置であって、前記第２所定時間は、少なくとも２つの前記大きな極大値と少なくとも２つの前記小さな極大値とを含む前記波形データを生成することを可能とすべく、前記立体視画像システムにおける出力特性に応じて設定されていることを特徴とする。 
【００１３】
請求項６に記載の発明は、請求項１から請求項５のいずれか１項に記載の測光装置であって、前記演算制御部は、前記第２所定時間の開始時点から前記第２所定時間の終了時点に至る間を示す測定範囲信号を生成することを特徴とする。
【００１４】
請求項７に記載の発明のプログラムは、測定対象物からの光を受光する受光部と、該受光部で取得した光量に基づいて測色値を算出する演算制御部と、取得した光量に応じる前記受光部からの信号に基づいて第１所定時間での基準測色値データを生成する第１処理部と、取得した光量に応じる前記受光部からの信号に基づいて第２所定時間での波形データを生成する第２処理部と、を備える測光装置の前記演算制御部に、前記測定対象物を、右目用の画像と左目用の画像とを所定の時間間隔で交互に出力して立体の画像を認識させる立体視画像システムとし、前記受光部は、前記立体視画像システムからの一方の目に対応する画像としての光を受光するものとして、前記第２処理部からの前記波形データにおける大きな極大値に対する小さな極大値の比率を算出する機能と、前記第１処理部からの前記基準測色値データに基づく基準測色値に、算出した前記小さな極大値の比率を乗算することで前記測色値を算出する機能と、を実現させることを特徴とする。 
【発明の効果】
【００１５】
本発明の測光装置によれば、基準測色値データに基づいて輝度値を絶対値（基準輝度値）として算出するとともに、波形データに基づいて輝度値での相対関係（本来必要とする表示信号に対するクロストーク値の比率）を算出し、その絶対値を基準として相対関係からクロストーク値を算出するものであることから、クロストーク値を正確に測定することができる。
【００１６】
上記した構成に加えて、前記受光部は、受光した光量に応じる大きさのアナログ信号を出力し、前記第２処理部は、前記受光部からのアナログ信号における波形情報を保存する処理速度の第２アナログ−デジタル変換部を有し、前記第１処理部は、前記第２アナログ−デジタル変換部に比較して、前記受光部からのアナログ信号の大きさに対する分解能が大きい第１アナログ−デジタル変換部を有することとすると、高い分解能を有する第１アナログ−デジタル変換部を介して得た基準測色値データに基づいて高い精度の輝度値を絶対値（基準輝度値）として算出するとともに、高速な処理速度を有する第２アナログ−デジタル変換部を介して得た波形データに基づいて輝度値での相対関係（本来必要とする表示信号に対するクロストーク値の比率）を算出し、その絶対値を基準として相対関係からクロストーク値を算出するものであることから、正確なクロストーク値を得ることができる。
【００１７】
上記した構成に加えて、前記第２アナログ−デジタル変換部は、前記演算制御部に内蔵されていることとすると、第２アナログ−デジタル変換部におけるアナログ−デジタル変換をより高速に行うことができるので、第２所定時間の波形データに基づいて測定光での大きな極大値に対する小さな極大値の比率をより正確に求めることができる。
【００１８】
上記した構成に加えて、前記第１アナログ−デジタル変換部は、前記演算制御部とは別に設けられていることとすると、アナログ−デジタル変換部を内蔵する演算制御部を有するものであれば、当該アナログ−デジタル変換部よりも高い分解能を有する第１アナログ−デジタル変換部を設けるとともに演算制御部における演算処理方法（そのためのプログラム）を変更するだけで、既存の測光装置に適用することができる。
【００１９】
上記した構成に加えて、前記第２所定時間は、少なくとも２つの前記大きな極大値と少なくとも２つの前記小さな極大値とを含む前記波形データを生成することを可能とすべく、前記測定対象物における出力特性に応じて設定されていることとすると、大きな極大値（本来必要とする表示信号）におけるピーク値を２つ以上抽出することができるとともに、小さな極大値（クロストーク）におけるピーク値を２つ以上抽出することができるので、表示信号（測定光）での大きな極大値に対する小さな極大値の比率をより正確に求めることができる。 
【００２０】
上記した構成に加えて、前記演算制御部は、前記第２所定時間の開始時点から前記第２所定時間の終了時点に至る間を示す測定範囲信号を生成することとすると、測定値と、受光部で取得した光量に基づくアナログ信号と、の相関関係を、使用者に容易に把握させることができる。
【図面の簡単な説明】
【００２１】
【図１】本発明に係る測光装置１０を用いて測定対象物としての立体視画像システム５０の測定を行っている様子を示す説明図である。
【図２】立体視画像システム５０における立体視用ディスプレイ５１からの表示信号と立体視用眼鏡５２との関係性の説明のために、横軸を時間軸とし、かつ縦軸で表示信号を光の強度（輝度）で示す説明図であり、（ａ）は立体視用ディスプレイ５１から出力された表示信号を示し、（ｂ）は立体視用眼鏡５２の右目側のレンズ部５２ａを経た表示信号を示し、（ｃ）は立体視用眼鏡５２の左目側のレンズ部５２ａを経た表示信号を示す。
【図３】本発明に係る測光装置１０の構成の概要を示す説明図である。
【図４】演算制御部３１（記憶部４０に格納されたプログラム）にて実行されるクロストーク値（測色値）の測定処理内容を示すフローチャートである。
【図５】ＣＣＤアナログＰＣＢ３８（受光部１２）から出力されるアナログ信号に対する第２所定時間Ｔ２と、出力される測定範囲信号Ｓｍとの関係を、横軸を時間軸とし、かつ縦軸を光の強度（輝度）で示す説明図である。
【図６】設定された第２所定時間Ｔ２における、ＣＣＤアナログＰＣＢ３８（受光部１２）から出力されるアナログ信号と、それが第２Ａ／Ｄコンバータ３９により変換されたデジタル信号と、の関係を、横軸を時間軸とし、かつ縦軸を光の強度（輝度）で示す説明図である。
【発明を実施するための形態】
【００２２】
以下に、本願発明に係る測光装置の実施例について図面を参照しつつ説明する。
【実施例】
【００２３】
図１は、本発明に係る測光装置１０を用いて測定対象物としての立体視画像システム５０の測定を行っている様子を示す説明図である。図２は、立体視画像システム５０における立体視用ディスプレイ５１からの表示信号と立体視用眼鏡５２との関係性の説明のために、横軸を時間軸とし、かつ縦軸で表示信号を光の強度（輝度）で示す説明図であり、（ａ）は立体視用ディスプレイ５１から出力された表示信号を示し、（ｂ）は立体視用眼鏡５２の右目側のレンズ部５２ａを経た表示信号を示し、（ｃ）は立体視用眼鏡５２の左目側のレンズ部５２ａを経た表示信号を示す。図３は、本発明に係る測光装置１０の構成の概要を示す説明図である。なお、図２の（ｂ）および（ｃ）では、理解容易のためにクロストーク（その輝度値であるクロストーク値）を二点鎖線で示しているが、この大きさは実際の出力と必ずしも一致するものではない。
【００２４】
測光装置１０は、測定対象物における測光特性（測色値（輝度、色度、色温度））を測定するものである。その測定対象物は、例として、ディスプレイ、液晶パネル、信号灯、冷陰極管、誘導灯、ＬＥＤ等があげられる。本実施例では、図１に示すように、立体の画像として視聴者に認識させることのできる立体視画像システム５０を測定対象物としている。
【００２５】
この立体視画像システム５０は、視聴者の右目に右目用の画像を取得させることと、左目に左目用の画像を取得させることと、を極めて短時間で交互に繰り返すことにより、視聴者に立体の画像として認識させる。立体視画像システム５０は、ディスプレイである立体視用ディスプレイ５１（３Ｄ（ｔｈｒｅｅ−ｄｉｍｅｎｓｉｏｎａｌ）ディスプレイ）と、立体視用眼鏡５２と、を有する。
【００２６】
この立体視用ディスプレイ５１は、所定の時間間隔で交互に、右目用の画像の表示のための表示信号と、左目用の画像の表示のための表示信号と、を出力する（図２（ａ）参照）。なお、ここでいう表示信号とは、立体視用ディスプレイ５１の表示画面において所定の画像を形成するために、その表示画面（その各画素）を光源として出力される光のことをいう。立体視用ディスプレイ５１は、本実施例では、右目用の画像の表示のための表示信号の出力およびその次の左目用の画像の表示のための表示信号の出力、すなわち立体画像のための一対の表示信号の出力を１周期として、点灯周波数が１２０［Ｈｚ］に設定されている。このため、立体視用ディスプレイ５１は、本実施例では、立体画像のための一対の表示信号を約８．３［ｍｓｅｃ］に１回のペースで出力する（図６参照）。
【００２７】
立体視用眼鏡５２は、一般的な眼鏡と同様に左右のそれぞれに対応して対を為すレンズ部５２ａを有する。この立体視用眼鏡５２では、両レンズ部５２ａがそれぞれ光を透過する状態と光を遮蔽する状態とを、立体視用ディスプレイ５１での左右の表示信号の出力に同期させて切り換えることが可能とされている。この両レンズ部５２ａは、例えば、液晶シャッターを用いることにより遮蔽することができる。その立体視用眼鏡５２では、立体視用ディスプレイ５１における右目用の画像と左目用の画像との表示に同期して駆動されることにより、右目側のレンズ部５２ａと左目側のレンズ部５２ａとが、所定の時間間隔で交互に遮蔽される。
【００２８】
このため、立体視用眼鏡５２の右目側のレンズ部５２ａを介して立体視用ディスプレイ５１を見ると、立体視用ディスプレイ５１から出力される表示信号のうち、右目用の画像に相当する表示信号だけを取得することができる（図２（ｂ）参照）。また、立体視用眼鏡５２の左目側のレンズ部５２ａを介して立体視用ディスプレイ５１を見ると、立体視用ディスプレイ５１から出力される表示信号のうち、左目用の画像に相当する表示信号だけを取得することができる（図２（ｃ）参照）。
【００２９】
これにより、立体視画像システム５０では、立体視用眼鏡５２を通して立体視用ディスプレイ５１を見せることで、視聴者に立体の画像として認識させることができる。なお、立体視用眼鏡５２は、立体視用ディスプレイ５１において交互に表示される両目用の画像のうち、右目側のレンズ部５２ａが右目用の画像（表示信号）のみの取得を可能とするものであり、かつ左目側のレンズ部５２ａが左目用の画像（表示信号）のみの取得を可能とするものであればよく、本実施例に限定されるものではない。
【００３０】
測光装置１０は、図３に示すように、光学系１１と受光部１２と回路部１３とを有する。その光学系１１は、測定対象物からの光を受光部１２等へと導くものであり、本実施例では、視準光学系１４と測光光学系１５とを有する。
【００３１】
視準光学系１４は、測定対象物における測定箇所を視認するとともに、その測定箇所の調整のために設けられている。その視準光学系１４は、対物レンズ１６、アパーチャミラー１７、反射ミラー１８、第１レンズ１９、第２レンズ２０および接眼レンズ２１を有する。
【００３２】
対物レンズ１６は、測定対象物から出射された測定光を集めるために設けられており、その焦点位置がアパーチャミラー１７の近傍に設定されている。このため、測定対象物から出射された測定光は、対物レンズ１６を通りアパーチャミラー１７へと進行する。
【００３３】
そのアパーチャミラー１７は、対物レンズ１６で集光された測定光を視準光学系１４側に進行する光と測光光学系１５側に進行する光とに分けるために設けられており、開口１７ａを有する。アパーチャミラー１７は、対物レンズ１６で集光された測定光の一部を反射ミラー１８（視準光学系１４）へ向けて反射するとともに、その他部を開口１７ａから後述する第３レンズ２３（測光光学系１５）へと進行させる。
【００３４】
反射ミラー１８は、入射した光を反射するものである。このため、アパーチャミラー１７で反射された測定光は、反射ミラー１８により反射されて、第１レンズ１９へと進行する。
【００３５】
第１レンズ１９は、第２レンズ２０と協働してリレーレンズを構成するものであり、測定対象物の像を共役な位置２２にリレーする。視準光学系１４では、共役な位置２２が焦点位置となるように接眼レンズ２１が設けられている。このため、視準光学系１４では、反射ミラー１８で反射した測定光を第１レンズ１９と第２レンズ２０とを通すことにより、測定対象物の像を共役な位置２２にリレーし、接眼レンズ２１を介して測定対象物の像を測定者に視準させることができる。
【００３６】
測光光学系１５は、測定対象物からの光を適宜調節して受光部１２へと導くものである。その測光光学系１５は、視準光学系１４と共用の対物レンズ１６およびアパーチャミラー１７を有するとともに、第３レンズ２３、色フィルタターレット板２４、減光フィルタ２５、第４レンズ２６および減光フィルタターレット板２７を有する。
【００３７】
第３レンズ２３は、第４レンズ２６と協働してリレーレンズを構成するものであり、測定対象物の像を受光部１２（その受光面）にリレーする。この測光光学系１５では、対物レンズ１６で集光された測定光のうちのアパーチャミラー１７の開口１７ａを通った他部が、第３レンズ２３を通り色フィルタターレット板２４へと進行する。
【００３８】
その色フィルタターレット板２４は、各波長の感度を補正するものである。色フィルタターレット板２４は、円板部材２４ａと、その中心軸に出力軸が連結された駆動部２４ｂとを有する。その円板部材２４ａでは、中心軸周りに複数の開口（図３に示す例では４つ）が設けられ、その４つの開口２４ｃ、２４ｄ、２４ｅ、２４ｆに互いに異なる波長に感度を有するフィルタが設けられている。駆動部２４ｂは、円板部材２４ａの回転姿勢を調節するものであり、本実施例ではパルスモータにより構成されている。この色フィルタターレット板２４は、円板部材２４ａの回転姿勢により、いずれかの開口（２４ｃ、２４ｄ、２４ｅ、２４ｆ）を第３レンズ２３から減光フィルタ２５へと向かう光路（測定光路）上の位置に存在させることが可能とされている。このため、色フィルタターレット板２４は、第３レンズ２３を通過した測定光に対して、所定の波長の感度を補正することができる。色フィルタターレット板２４は、後述する演算制御部３１の制御下で駆動部２４ｂが適宜駆動されることにより、円板部材２４ａの回転姿勢が調整される、すなわち上記した光路上に存在する開口（２４ｃ、２４ｄ、２４ｅ、２４ｆ）が切り替えられる。この色フィルタターレット板２４は、第３レンズ２３を通過した測定光を、適宜設定された波長の感度を補正して、減光フィルタ２５へと進行させる。
【００３９】
その減光フィルタ２５は、色フィルタターレット板２４を通過した測定光の強度を調整するものである。減光フィルタ２５は、板状のフィルタ部材２５ａと、その端部に出力軸が連結された駆動部２５ｂと、を有する。フィルタ部材２５ａは、所定の減光率とされている。駆動部２５ｂは、フィルタ部材２５ａを第３レンズ２３から減光フィルタ２５へと向かう光路（測定光路）上に出し入れ自在とするものであり、本実施例ではパルスモータにより構成されている。このため、減光フィルタ２５は、色フィルタターレット板２４を通過した測定光に対して、強度を低減することと強度を変化させることなく素通しさせることとを切り替えることができる。減光フィルタ２５は、後述する演算制御部３１の制御下で駆動部２５ｂが適宜駆動されることにより、上記した光路上にフィルタ部材２５ａが出し入れされる。この減光フィルタ２５は、色フィルタターレット板２４を通過した測定光を、適宜強度を調節して、第４レンズ２６へと進行させる。
【００４０】
その第４レンズ２６は、上述したように、第３レンズ２３と協働してリレーレンズを構成するものであり、測定対象物の像を受光部１２（その受光面）にリレーする。この測光光学系１５では、色フィルタターレット板２４および減光フィルタ２５で適宜調整された測定光が、減光フィルタターレット板２７へと進行する。
【００４１】
その減光フィルタターレット板２７は、第４レンズ２６を通過した測定光の強度を段階的に調整するものである。減光フィルタターレット板２７は、円板部材２７ａと、その中心軸に出力軸が連結された駆動部２７ｂとを有する。その円板部材２７ａでは、中心軸周りに複数の開口（図３に示す例では４つ）が設けられ、その４つの開口２７ｃ、２７ｄ、２７ｅ、２７ｆに互いに異なる透過率（減光倍率）のフィルタが設けられている。駆動部２７ｂは、円板部材２７ａの回転姿勢を調節するものであり、本実施例ではパルスモータにより構成されている。この減光フィルタターレット板２７は、円板部材２７ａの回転姿勢により、いずれかの開口（２７ｃ、２７ｄ、２７ｅ、２７ｆ）を第４レンズ２６から受光部１２へと向かう光路（測定光路）上の位置に存在させることが可能とされている。このため、減光フィルタターレット板２７は、第４レンズ２６を通過した測定光の強度を段階的に調節することができる。減光フィルタターレット板２７は、後述する演算制御部３１の制御下で駆動部２７ｂが適宜駆動されることにより、円板部材２７ａの回転姿勢が調整される、すなわち上記した光路上に存在する開口（２７ｃ、２７ｄ、２７ｅ、２７ｆ）が切り替えられる。この減光フィルタターレット板２７は、第４レンズ２６を通過した測定光を、適宜設定された強度に調整して、受光部１２へと進行させる。このため、測光光学系１５では、測定対象物から出射された測定光を、適宜調整しつつ受光部１２へと導くことができる。
【００４２】
受光部１２は、受光面で受光した光の光量に応じた大きさ（強度）のアナログ値である信号を出力するものである。この受光部１２は、本実施例では、後述するクロストーク値を検出可能とする観点から、電流増幅（電子増倍）機能を有する高感度光検出器である光電子増倍管（いわゆるフォトマル）が用いられている。受光部１２は、測光光学系１５（光学系１１）により導かれた測定光を受光し、その光量に応じた大きさ（強度）の電流（アナログ信号）を回路部１３（そのＣＣＤアナログＰＣＢ３８）に出力する。
【００４３】
その回路部１３は、受光部１２から出力されるアナログ信号に基づいて、測定光における測色値（輝度、色度、色温度）を算出するものである。回路部１３は、演算制御部３１、ＡＣアダプタ３２、ＤＣ−ＤＣ電源３３、ＬＣＤ（Ｌｉｑｕｉｄ  Ｃｒｙｓｔａｌ  Ｄｉｓｐｌａｙ）表示器３４、操作キー３５、外部入出力端子３６、第１Ａ／Ｄコンバータ３７、およびＣＣＤ（Ｃｈａｒｇｅ  Ｃｏｕｐｌｅｄ  Ｄｅｖｉｃｅ）アナログＰＣＢ（ＣＣＤアナログプリント基板ボード）３８を有する。
【００４４】
演算制御部３１は、ＬＣＤ表示器３４の駆動や、操作キー３５に為された操作に基づく駆動処理や、受光部１２からの信号に基づく測色値の演算処理や、測光光学系１５（色フィルタターレット板２４、減光フィルタ２５および減光フィルタターレット板２７）の駆動等の制御や、外部入出力端子３６を介する外部機器（図１の符号４１参照）とのデータの送受信処理を、後述する記憶部４０に格納されたプログラムにより統括的に行う。この演算制御部３１は、本実施例では、ＲＯＭやＲＡＭをワンチップに内蔵した中央演算処理ユニット（ＣＰＵ（Ｃｅｎｔｒａｌ  Ｐｒｏｃｅｓｓｉｎｇ  Ｕｎｉｔ））で構成されている。演算制御部３１は、第２Ａ／Ｄコンバータ３９と、記憶部４０と、を有する。
【００４５】
その第２Ａ／Ｄコンバータ３９は、後述するようにＣＣＤアナログＰＣＢ３８（受光部１２）から出力されるアナログ信号をデジタル信号に変換する。この第２Ａ／Ｄコンバータ３９は、ＣＣＤアナログＰＣＢ３８（受光部１２）から出力されるアナログ信号を高速にデジタル信号に変換することのできる処理速度を有するものとされている。ここで、高速にデジタル信号に変換することのできる処理速度とは、ＣＣＤアナログＰＣＢ３８（受光部１２）から出力されるアナログ信号における波形情報（時間に対する強度の変化の態様）の保存を可能とする時間間隔で変換処理を行うことができることを言う。すなわち、変換処理されたデジタル信号において、波形情報（時間に対する強度の変化の態様）を読み取ることを可能とする短い時間間隔で変換処理を行うことができる（時間に対して十分な量のサンプリング数を確保することができる）ことを言う。第２Ａ／Ｄコンバータ３９は、本実施例では、演算制御部３１の一部を構成する、すなわち演算制御部３１に内蔵されて設けられている。また、第２Ａ／Ｄコンバータ３９は、本実施例では、１０ｂｉｔの分解能を有するものとされている。さらに、第２Ａ／Ｄコンバータ３９は、本実施例では、後述するようにＣＣＤアナログＰＣＢ３８（受光部１２）から出力されるアナログ信号を、１１［μｓｅｃ］毎にアナログ−デジタル変換することができる処理速度を有するものとされている。
【００４６】
この演算制御部３１は、第２Ａ／Ｄコンバータ３９や第１Ａ／Ｄコンバータ３７からデジタル信号が入力されると、そのデジタル信号を用いて適宜測色値の演算処理を行う。この測色値の演算処理とは、測定光における輝度、色度および色温度等を適宜算出するものである。本願発明では、測色値として、後述するクロストーク値を算出することができる。このクロストーク値の生成については、後に詳細に説明する。また、演算制御部３１は、測色値の生成処理を行う際、生成過程でのデータ等を記憶部４０に適宜格納するとともに、記憶部４０に格納したデータ等を記憶部４０から適宜読み込む。
【００４７】
演算制御部３１では、ＡＣアダプタ３２およびＤＣ−ＤＣ電源３３を介して電力が供給される。ＬＣＤ表示器３４は、演算制御部３１の制御下で駆動されて、生成した測光特性（後述するクロストーク値等）や、その他の指令等を表示する。操作キー３５は、測光装置１０における各種機能の選択操作や各種機能のための入力操作を行うべく設けられている。この操作キー３５に為された操作に基づく信号は、演算制御部３１へと出力される。なお、この操作キー３５は、ＬＣＤ表示器３４とは独立して設けられているものであってもよく、ＬＣＤ表示器３４にタッチパネルの機能を搭載してＬＣＤ表示器３４に表示された画面として構成されているものであってもよい。
【００４８】
外部入出力端子３６は、図示は略すが外部入出力端子の接続が可能とされており、その外部入出力端子を経て外部機器４１（その制御部（図１参照））と演算制御部３１とで情報（生成した測色値やＣＣＤアナログＰＣＢ３８（受光部１２）から出力されたアナログ信号等）を遣り取りすることを可能とする。この外部入出力端子３６は、本実施例では、ＬＡＮ機能を持った機器との接続を可能とするＬＡＮインターフェースと、ＲＳ−２３２Ｃのシリアル通信ポートとの接続を可能とするＲＳ−２３２Ｃインターフェースと、が用いられている。
【００４９】
第１Ａ／Ｄコンバータ３７は、ＣＣＤアナログＰＣＢ３８（受光部１２）から出力されたアナログ信号をデジタル信号に変換して演算制御部３１へと出力する。この第１Ａ／Ｄコンバータ３７は、少なくとも第２Ａ／Ｄコンバータ３９よりも大きな分解能を有するものとする。より好ましくは、第１Ａ／Ｄコンバータ３７は、後述するＣＣＤアナログＰＣＢ３８を介して出力される受光部１２での受光光量に応じた大きさ（強度）のアナログ信号を変換したデジタル信号において、輝度計として求められる精度を満たすことのできる分解能を有するものとする。この第１Ａ／Ｄコンバータ３７は、本実施例では、演算制御部３１の外部に設けられており、１６ｂｉｔの分解能を有するものとされている。
【００５０】
ＣＣＤアナログＰＣＢ３８は、受光部１２から出力される受光光量に応じた大きさ（強度）の電流（アナログ信号）を、受光部１２での受光光量に応じた大きさ（強度）の電圧（アナログ信号）に変換する。このＣＣＤアナログＰＣＢ３８は、そのアナログ信号を、第１Ａ／Ｄコンバータ３７へと出力するとともに演算制御部３１（第２Ａ／Ｄコンバータ３９を含む）へと出力することが可能とされている。
【００５１】
これにより、測光装置１０では、図１に示すように、任意の測定対象物（立体視画像システム５０）に対して光学系１１の対物レンズ１６を対向させて測定を行うことで、その測定光を受光部１２で受光して、それに基づく信号（アナログ信号）を回路部１３へと出力させることにより、測定光における測色値（輝度、色度、色温度）を生成することができる。
【００５２】
測光装置１０では、さらに、立体視画像システム５０におけるクロストーク値の測定を行うことが可能とされている。すなわち、演算制御部３１では、立体視画像システム５０でのクロストーク値の測定のための演算処理が可能とされている。まず、クロストークについて説明する。なお、立体視画像システム５０では、左右いずれの目に対応する画像を取得する場面であってもクロストークが生じ得るものであることから、以下の説明では、右目用の画像を取得する場面について説明し、左目用については省略する。
【００５３】
上述したように、立体視画像システム５０（図１参照）では、立体視用ディスプレイ５１での右目用の画像と左目用の画像との表示に同期して駆動する立体視用眼鏡５２を用いることにより、一方の目に当該目に対応する画像だけを取得させている（図２参照）。このとき、立体視用眼鏡５２の右目側のレンズ部５２ａを介して立体視用ディスプレイ５１を見ると、立体視用ディスプレイ５１から出力される表示信号のうち、右目用の画像に相当する表示信号だけを取得させることが望ましい（図２（ｂ）参照）。しかしながら、実際には、立体視用眼鏡５２の右目側のレンズ部５２ａを介して立体視用ディスプレイ５１を見た際、左目に対応する画像が出力される時間帯において、大変微弱ではあるが輝度値が検出される（図２（ｂ）の二点鎖線参照）。これは、立体視画像システム５０における何らかの原因により、立体視用眼鏡５２の右目側のレンズ部５２ａを介して立体視用ディスプレイ５１を見ても、左目に対応する表示信号の一部が入力されている、すなわち右目に対応する表示信号に左目に対応する表示信号の一部が混入している（洩れている）ものと考えられる。このように、立体視用眼鏡５２の一方の目側のレンズ部５２ａを介して立体視用ディスプレイ５１を見た際に、他方の目に対応する表示信号の一部が混入することを、本明細書ではクロストークが生じると言い、混入したクロストーク（他方の目に対応する表示信号）の強度（本実施例では輝度値）をクロストーク値と言う。
【００５４】
立体視画像システム５０（立体視用ディスプレイ５１）では、クロストークが生じると、画像の劣化（特に、色再現性の悪化）を招いてしまうことから、クロストークが生じることを抑制することが望まれている。このためには、クロストーク（クロストーク値）の測定を高精度に行うことが必要となる。
【００５５】
次に、立体視画像システム５０でのクロストーク値を、測光装置１０を用いて測定することについて、図４を用いて説明する。図４は、演算制御部３１（記憶部４０に格納されたプログラム）にて実行されるクロストーク値（測色値）の測定処理内容を示すフローチャートである。以下、図４のフローチャートの各ステップについて説明する。このクロストーク値の測定は、操作キー３５においてクロストーク値の測定を実行する旨の操作が為されることにより開始される。このクロストーク値の測定では、図１に示すように、立体視用ディスプレイ５１の前に測光装置１０を設置するとともに、その測定光の入力箇所（その対物レンズ１６（図３参照））に立体視用眼鏡５２の右目側のレンズ部５２ａを配する。そして、立体視用ディスプレイ５１と立体視用眼鏡５２とを同期させて駆動するとともに、立体視用ディスプレイ５１に検査用の画像（そのための左右の表示信号（図２（ａ）参照））を出力させる。このため、測光装置１０では、立体視用ディスプレイ５１から出力されて立体視用眼鏡５２の右目側のレンズ部５２ａを通過した表示信号（図２（ｂ）参照）を、測定光として取得（受光）することができる。
【００５６】
ステップＳ１では、受光した測定光に応じた受光部１２からのアナログ信号を、第１Ａ／Ｄコンバータ３７からデジタル信号として取得して、ステップＳ２へ進む。このステップＳ１では、ＣＣＤアナログＰＣＢ３８を介して出力される受光部１２での受光光量に応じた大きさ（強度）のアナログ信号が、第１Ａ／Ｄコンバータ３７により変換されたデジタル信号を、取得する。ステップＳ１は、第１所定時間Ｔ１の間、継続する。この第１所定時間Ｔ１は、輝度計として設定する精度を満たす観点から、第１Ａ／Ｄコンバータ３７における分解能と処理速度とを考慮して適宜設定する。第１所定時間Ｔ１は、本実施例では、１００［ｍｓｅｃ］に設定している。この輝度計として設定する精度とは、測光装置１０において保障する精度であり、適宜設定されるものである。
【００５７】
ステップＳ２では、ステップＳ１での第１Ａ／Ｄコンバータ３７からのデジタル信号の取得に続き、そのデジタル信号に基づいて第１所定時間Ｔ１での測定光の輝度値を算出して、ステップＳ３へ進む。このステップＳ２では、第１Ａ／Ｄコンバータ３７を介して取得したデジタル信号に基づいて、第１所定時間Ｔ１における受光部１２での受光光量を、輝度値に換算することにより、立体視用眼鏡５２の右目側のレンズ部５２ａを通して取得した立体視用ディスプレイ５１からの表示信号の基準輝度値（基準測色値）を算出する。その換算される輝度値とは、観測者へ向かって出射される光の強さを、人間の目の感度で評価した測光量である。この基準輝度値は、１６ｂｉｔの分解能の第１Ａ／Ｄコンバータ３７からのデジタル信号に基づくものであって、第１所定時間Ｔ１（本実施例では１００［ｍｓｅｃ］）を測定時間としたものであることから、輝度計として設定された精度を十分に満たしている。このため、受光部１２（ＣＣＤアナログＰＣＢ３８）から出力されたアナログ信号に基づいて、第１Ａ／Ｄコンバータ３７が生成（変換）したデジタル信号が、測定光における第１所定時間Ｔ１での基準測色値データとなる。
【００５８】
ステップＳ３では、ステップＳ２での基準輝度値の算出に続き、受光した測定光に応じた受光部１２からのアナログ信号を、第２Ａ／Ｄコンバータ３９を介してデジタル信号として取得して、ステップＳ４へ進む。このステップＳ３では、ＣＣＤアナログＰＣＢ３８を介して出力される受光部１２での受光光量に応じた大きさ（強度）のアナログ信号が、第２Ａ／Ｄコンバータ３９により変換されたデジタル信号（図６参照）を、取得する。ステップＳ３は、第２所定時間Ｔ２の間、継続する。この第２所定時間Ｔ２の設定方法については後述する。本実施例では、第２Ａ／Ｄコンバータ３９が１１［μｓｅｃ］毎にアナログ−デジタル変換が可能であることに基づいて、当該変換を２０００回行うことができるように、第２所定時間Ｔ２を２２［ｍｓｅｃ］に設定している。ステップＳ３で取得するデジタル信号では、上述したように第２Ａ／Ｄコンバータ３９が高速な処理速度を有するものであることから、時間に対する強度の変化の態様を示す波形情報の読み取りが可能とされている。このため、受光部１２（ＣＣＤアナログＰＣＢ３８）から出力されたアナログ信号に基づいて、第２Ａ／Ｄコンバータ３９が生成（変換）したデジタル信号が、測定光における第２所定時間Ｔ２での波形データとなる。
【００５９】
ステップＳ４では、ステップＳ３での第２Ａ／Ｄコンバータ３９からのデジタル信号の取得に続き、そのデジタル信号（第２所定時間Ｔ２での波形データ）に基づいて測定光での大きな極大値に対する小さな極大値の比率を算出して、ステップＳ５へ進む。このステップＳ４では、第２Ａ／Ｄコンバータ３９を介して取得したデジタル信号における時間に対する強度の変化の態様を示す波形情報から、大きな極大値すなわち右目に対応する表示信号におけるピーク値（図６のＰｌ参照）を抽出し、それらの平均値を算出する。また、第２Ａ／Ｄコンバータ３９を介して取得したデジタル信号における時間に対する強度の変化の態様を示す波形情報から、小さな極大値すなわちクロストーク（左目に対応する表示信号）におけるピーク値（図６のＰｓ参照）を抽出し、それらの平均値を算出する。その後、大きな極大値の平均値と、小さな極大値の平均値と、に基づいて、第２Ａ／Ｄコンバータ３９を介して取得したデジタル信号での大きな極大値に対する小さな極大値の比率を算出する。なお、ステップＳ４では、測定光における第２所定時間Ｔ２での大きな極大値に対する小さな極大値の比率を求めるのみであって、第２Ａ／Ｄコンバータ３９からのデジタル信号に基づく輝度値（測色値）の算出は行わない。
【００６０】
ステップＳ５では、ステップＳ４での大きな極大値に対する小さな極大値の比率の算出に続き、クロストーク値を算出して、クロストーク値の測定処理を終了する。このステップＳ５では、ステップＳ２で算出した基準輝度値に、ステップＳ４で算出した大きな極大値に対する小さな極大値の比率を乗算することにより、クロストーク値を算出する（クロストーク値＝基準輝度値×（小さな極大値／大きな極大値））。
【００６１】
この測光装置１０では、使用者が操作キー３５においてクロストーク値の測定を実行する旨の選択を行うと、図４のフローチャートにおいてステップＳ１→ステップＳ２→ステップＳ３→ステップＳ４→ステップＳ５へと進むことにより、クロストーク値を算出することができる。この算出（測定）したクロストーク値は、演算制御部３１の制御下で、ＬＣＤ表示器３４に表示される。このことから、測光装置１０では、図４のフローチャートが、受光部１２（ＣＣＤアナログＰＣＢ３８）、第１Ａ／Ｄコンバータ３７および第２Ａ／Ｄコンバータ３９との協働により、クロストーク値を算出するクロストーク値算出手段として機能する。また、第１Ａ／Ｄコンバータ３７が、測定光を受光した受光部１２からのアナログ信号に基づいて、第１所定時間Ｔ１での基準測色値データを生成する第１処理部として機能する。さらに、第２Ａ／Ｄコンバータ３９が、測定光を受光した受光部１２からのアナログ信号に基づいて、第２所定時間Ｔ２での波形データを生成する第２処理部として機能する。
【００６２】
また、測光装置１０では、クロストーク値の測定を実行する際、図１に示すように、外部入出力端子３６に外部機器４１が接続されている場合、演算制御部３１は、ＣＣＤアナログＰＣＢ３８を介して出力される受光部１２での受光光量に応じた大きさ（強度）のアナログ信号を、外部入出力端子３６から外部機器４１へと出力する。このとき、演算制御部３１は、本実施例では、そのアナログ信号において、クロストーク値の測定に用いた時間範囲、すなわちクロストーク値として定量化するための算出の根拠となる時間範囲を示す測定範囲信号Ｓｍ（図５参照）を、外部入出力端子３６から外部機器４１へと出力する。演算制御部３１は、測定範囲信号Ｓｍとして、該当する時間範囲の間、所定の大きさの電圧（図５の例では５［Ｖ］）を出力する。この時間範囲は、ステップＳ３での演算制御部３１が測定光に応じた第２Ａ／Ｄコンバータ３９からのデジタル信号の取得を開始した時点（第２所定時間Ｔ２のカウントを開始した時点）から、ステップＳ３での演算制御部３１が測定光に応じた第２Ａ／Ｄコンバータ３９からのデジタル信号の取得を終了した時点（第２所定時間Ｔ２が経過した時点）までとなる（図５参照）。
【００６３】
次に、第２所定時間Ｔ２の設定方法について説明する。この第２所定時間Ｔ２は、ＣＣＤアナログＰＣＢ３８を介して出力される受光部１２での受光光量に応じた大きさ（強度）のアナログ信号、すなわちそれが第２Ａ／Ｄコンバータ３９により変換されたデジタル信号において、少なくとも４つの波形を存在させるように、立体視用ディスプレイ５１（立体視画像システム５０）で設定された点灯周波数（出力特性）に応じて設定する。換言すると、第２所定時間Ｔ２は、立体視用ディスプレイ５１における立体画像のための一対の表示信号の出力が２回行われる２周期以上に設定する。これにより、上記した図４のフローチャートのステップＳ４において、大きな極大値すなわち右目に対応する表示信号におけるピーク値（図６の符号Ｐｌ参照）を２つ以上抽出することができるとともに、小さな極大値すなわちクロストーク（左目に対応する表示信号）におけるピーク値（図６の符号Ｐｓ参照）を２つ以上抽出することができるので、測定光での大きな極大値に対する小さな極大値の比率をより正確に求めることができる。
【００６４】
特に、本実施例では、第２所定時間Ｔ２は、ＣＣＤアナログＰＣＢ３８を介して出力される受光部１２での受光光量に応じた大きさ（強度）のアナログ信号、すなわちそれが第２Ａ／Ｄコンバータ３９により変換されたデジタル信号において、少なくとも６つの波形を存在させるように、立体視用ディスプレイ５１（立体視画像システム５０）で設定された点灯周波数に応じて設定する。このことについて、図６および本実施例での設定値を用いて以下で説明する。
【００６５】
本実施例では、上述したように、立体視用ディスプレイ５１（立体視画像システム５０）の点灯周波数が１２０［Ｈｚ］に設定されていることから、図６に示すように、立体画像のための一対の表示信号が約８．３［ｍｓｅｃ］に１回のペースで出力される。これに対し、測光装置１０（その演算制御部３１）では、少なくとも６つの波形を存在させることを可能とする観点から、第２所定時間Ｔ２を２２［ｍｓｅｃ］に設定している。すると、第２所定時間Ｔ２の開始時点に拘らず、立体視用ディスプレイ５１から繰り返して出力される表示信号において、第２所定時間Ｔ２（２２［ｍｓｅｃ］）の間に少なくとも６つの波形を存在させることができる。すなわち、第２所定時間Ｔ２の開始時点に拘らず、立体視用ディスプレイ５１から繰り返して出力される表示信号において、少なくとも、３つの大きな波形（右目に対応する表示信号）と、３つの小さな波形（クロストーク（左目に対応する表示信号））と、を存在させることができる。
【００６６】
ところが、第２所定時間Ｔ２（２２［ｍｓｅｃ］）の開始時点が、立体視用ディスプレイ５１における右目用の画像の表示のための表示信号の出力もしくは左目用の画像の表示のための表示信号の出力を開始する時点（左右目用の画像の切り替え時点）のいずれかと一致されていない場合、第２所定時間Ｔ２内で取得した波形情報のうちの最初または最後の波形情報には、当該波形のピーク値が含まれていない場面が生じ得る（図６の例では左端の波形）。このため、本実施例では、演算制御部３１は、第２Ａ／Ｄコンバータ３９を介して取得したデジタル信号における波形情報のうち、時間軸で見た最初の波形情報と最後の波形情報とを抽出対象から除外し、残りの波形情報から大きな極大値すなわち右目に対応する表示信号におけるピーク値（中間位置の２つの符号Ｐｌ参照）を抽出するとともに、小さな極大値すなわちクロストーク（左目に対応する表示信号）におけるピーク値（中間位置の２つの符号Ｐｓ参照）を抽出する。これにより、立体視用ディスプレイ５１（立体視画像システム５０）に同期させることなく第２所定時間Ｔ２を開始しても、大きな極大値すなわち右目に対応する表示信号におけるピーク値Ｐｌを２つ以上抽出することができるとともに、小さな極大値すなわちクロストーク（左目に対応する表示信号）におけるピーク値Ｐｓを２つ以上抽出することができるので、測定光での大きな極大値に対する小さな極大値の比率をより正確に求めることができる。
【００６７】
なお、上述した第１所定時間Ｔ１および第２所定時間Ｔ２は、予め記憶部４０に保存（登録）されており、その保存（登録）は、操作キー３５に為された操作によるものであってもよく、外部入出力端子３６を介して接続された他の機器から取得するものであってもよい。
【００６８】
このように、本実施例の測光装置１０では、ＣＣＤアナログＰＣＢ３８を介して出力される受光部１２での受光光量に応じた大きさ（強度）のアナログ信号に対して、高い分解能を有する第１Ａ／Ｄコンバータ３７で生成したデジタル信号（基準測色値データ）に基づいて基準輝度値（基準測色値）を算出するとともに、高速な処理速度を有する第２Ａ／Ｄコンバータ３９で生成したデジタル信号（波形データ）に基づいて大きな極大値に対する小さな極大値の比率を算出し、その基準輝度値に大きな極大値に対する小さな極大値の比率を乗算することにより、クロストーク値を算出するものであることから、正確なクロストーク値を得ることができる。換言すると、測光装置１０では、高い分解能を有する第１Ａ／Ｄコンバータ３７を介して得たデジタル信号（基準測色値データ）に基づいて十分な精度の輝度値を絶対値（基準輝度値（基準測色値））として算出するとともに、高速な処理速度を有する第２Ａ／Ｄコンバータ３９を介して得たデジタル信号（波形データ）に基づいて輝度値での相対関係（本来必要とする表示信号に対するクロストーク値の比率）を算出し、その絶対値を基準として相対関係からクロストーク値を算出するものであることから、正確なクロストーク値を得ることができる。
【００６９】
また、測光装置１０では、少なくとも４つの波形を存在させるように、立体視用ディスプレイ５１（立体視画像システム５０）で設定された点灯周波数に応じて設定した第２所定時間Ｔ２でのデジタル信号（波形データ）に基づいて、立体視用眼鏡５２を通した立体視用ディスプレイ５１からの表示信号での大きな極大値に対する小さな極大値の比率を算出することから、大きな極大値（本来必要とする表示信号）におけるピーク値を２つ以上抽出することができるとともに、小さな極大値（クロストーク）におけるピーク値を２つ以上抽出することができるので、表示信号（測定光）での大きな極大値に対する小さな極大値の比率をより正確に求めることができる。このため、より正確にクロストーク値を得ることができる。
【００７０】
さらに、測光装置１０では、少なくとも６つの波形を存在させるように立体視用ディスプレイ５１（立体視画像システム５０）で設定された点灯周波数に応じて第２所定時間Ｔ２を設定し、その第２所定時間Ｔ２でのデジタル信号での波形情報のうち、時間軸で見た最初の波形情報と最後の波形情報とを抽出対象から除外して、立体視用ディスプレイ５１からの表示信号での大きな極大値に対する小さな極大値の比率を算出することから、立体視用ディスプレイ５１（立体視画像システム５０）に同期させることなく第２所定時間Ｔ２を開始しても、大きな極大値（必要とする表示信号）におけるピーク値を２つ以上抽出することができるとともに、小さな極大値（クロストーク）におけるピーク値を２つ以上抽出することができるので、表示信号（測定光）での大きな極大値に対する小さな極大値の比率をより正確に求めることができる。このため、同期させることなく（そのための機構を設けることなく）、より正確にクロストーク値を得ることができる。
【００７１】
測光装置１０では、第２Ａ／Ｄコンバータ３９が演算制御部３１に内蔵されて設けられていることから、第２Ａ／Ｄコンバータ３９におけるアナログ−デジタル変換をより高速に行うことができるので、第２所定時間Ｔ２のデジタル信号（波形データ）に基づいて測定光での大きな極大値に対する小さな極大値の比率をより正確に求めることができる。このため、より正確にクロストーク値を得ることができる。
【００７２】
測光装置１０では、クロストーク値の測定を実行する際、外部入出力端子３６に外部機器４１を接続することで、ＣＣＤアナログＰＣＢ３８を介して出力される受光部１２での受光光量に応じた大きさ（強度）のアナログ信号を、外部機器４１へと出力することができる。このため、使用者は、測光装置１０による測定値としてのクロストーク値と併せて、生じたクロストークを含むアナログ信号を解析することができる。
【００７３】
測光装置１０では、ＣＣＤアナログＰＣＢ３８を介して出力される受光部１２での受光光量に応じた大きさ（強度）のアナログ信号を、外部入出力端子３６から外部機器４１へと出力する際、クロストーク値の測定に用いた時間範囲を示す測定範囲信号Ｓｍを併せて出力することができる。このため、使用者は、測光装置１０による測定値としてのクロストーク値と、アナログ信号と、の相関関係を容易に把握することができる。
【００７４】
測光装置１０では、第１Ａ／Ｄコンバータ３７が演算制御部３１の外部に設けられて構成されていることから、第２Ａ／Ｄコンバータ（高速にデジタル信号に変換することのできる処理速度を有するもの）を内蔵する演算制御部を有するものであれば、当該第２Ａ／Ｄコンバータよりも高い分解能を有する第１Ａ／Ｄコンバータを設けるとともに演算制御部における演算処理方法（そのためのプログラム）を上述したように変更するだけで、既存の測光装置に適用することができる。
【００７５】
したがって、本願発明に係る測光装置１０では、クロストーク値を正確に測定することができる。
【００７６】
なお、上記した実施例では、本発明に係る測光装置の一例について説明したが、測定対象物からの光を受光する受光部と、該受光部で取得した光量に基づいて測色値を算出する演算制御部と、取得した光量に応じる前記受光部からの信号に基づいて第１所定時間での基準測色値データを生成する第１処理部と、取得した光量に応じる前記受光部からの信号に基づいて第２所定時間での波形データを生成する第２処理部と、を備え、前記演算制御部は、前記第２処理部からの前記波形データにおける大きな極大値に対する小さな極大値の比率を算出し、前記第１処理部からの前記測色値データに基づく基準測色値に、算出した前記小さな極大値の比率を乗算することで前記測色値を算出する測光装置であればよく、上記した実施例に限定されるものではない。 
【００７７】
また、上記した実施例では、本発明に係るプログラム（図４のフロ−チャートにおける制御処理を実現させるもの）の一例について説明したが、測定対象物からの光を受光する受光部と、該受光部で取得した光量に基づいて測色値を算出する演算制御部と、取得した光量に応じる前記受光部からの信号に基づいて第１所定時間での基準測色値データを生成する第１処理部と、取得した光量に応じる前記受光部からの信号に基づいて第２所定時間での波形データを生成する第２処理部と、を備える測光装置の前記演算制御部に、前記第２処理部からの前記波形データにおける大きな極大値に対する小さな極大値の比率を算出する機能と、前記第１処理部からの前記測色値データに基づく基準測色値に、算出した前記小さな極大値の比率を乗算することで前記測色値を算出する機能と、を実現させるプログラムであればよく、上記した実施例に限定されるものではない。
【００７８】
さらに、上記した実施例では、測色値として輝度値に換算したクロストーク値を算出していたが、混入したクロストーク（他方の目に対応する表示信号）の強度を示す測色値であれば、色度等であってもよく、上記した実施例に限定されるものではない。
【００７９】
上記した実施例では、演算制御部３１が立体視用眼鏡５２を通して取得した立体視用ディスプレイ５１からの表示信号の基準輝度値（基準測色値）を算出するものとされていたが、第１Ａ／Ｄコンバータ３７で生成した基準測色値データ（第１Ａ／Ｄコンバータ３７により変換されたデジタル信号）に基づいて当該基準輝度値（基準測色値）を算出するものであれば、第１Ａ／Ｄコンバータ３７において基準輝度値（基準測色値）を算出するものであってもよく、上記した実施例に限定されるものではない。なお、第１Ａ／Ｄコンバータ３７において基準輝度値（基準測色値）を算出する場合、例えば、第１Ａ／Ｄコンバータ３７にその算出のための演算制御部を設けるものであってもよく、第１Ａ／Ｄコンバータ３７にその算出のため演算回路を加えるものであってもよい。
【００８０】
上記した実施例では、第１Ａ／Ｄコンバータ３７が１６ｂｉｔの分解能を有するものとされていたが、少なくとも第２Ａ／Ｄコンバータ３９よりも大きな分解能を有するものであればよく、上記した実施例に限定されるものではない。
【００８１】
上記した実施例では、第２Ａ／Ｄコンバータ３９が演算制御部３１に内蔵されて設けられていたが、ＣＣＤアナログＰＣＢ３８（受光部１２）から出力されたアナログ信号を高速にデジタル信号に変換することのできる処理速度を有するものであればよく、上記した実施例に限定されるものではない。
【００８２】
上記した実施例では、第２Ａ／Ｄコンバータ３９が１０ｂｉｔの分解能を有するものとされていたが、ＣＣＤアナログＰＣＢ３８（受光部１２）から出力されたアナログ信号を高速にデジタル信号に変換することのできる処理速度を有するものであればよく、上記した実施例に限定されるものではない。
【００８３】
上記した実施例では、第２Ａ／Ｄコンバータ３９が１１［μｓｅｃ］毎にアナログ−デジタル変換を行うことのできる処理速度を有するものとされていたが、ＣＣＤアナログＰＣＢ３８（受光部１２）から出力されるアナログ信号における時間に対する強度の変化の態様を示す波形情報の保存を可能とする時間間隔で変換処理を行うことができるものであればよく、上記した実施例に限定されるものではない。
【００８４】
以上、本発明の測光装置およびプログラムを実施例に基づき説明してきたが、具体的な構成については、この実施例に限られるものではなく、本発明の要旨を逸脱しない限り、設計の変更や追加等は許容される。
【符号の説明】
【００８５】
１０  測光装置
１２  受光部
３１  演算制御部
３７  第１Ａ／Ｄコンバータ（第１処理部）
３９  第２Ａ／Ｄコンバータ（第２処理部）
５０  （測定対象物としての）立体視画像システム
Ｐｌ  大きな極大値におけるピーク値
Ｐｓ  小さな極大値におけるピーク値
Ｓｍ  測定範囲信号
Ｔ１  第１所定時間
Ｔ２  第２所定時間
【図１】
0005738073.tif 000002
【図２】
0005738073.tif 000003
【図３】
0005738073.tif 000004
【図４】
0005738073.tif 000005
【図５】
0005738073.tif 000006
【図６】
0005738073.tif 000007